(57)【要約】【課題】  既存データの管理及び検索を簡易化し、データ間の相違点を明確にして既存データの流用を促進することができるＣＡＤデータ管理検索装置を得る。【解決手段】  図面情報自動取得部１２により、ＣＡＤにより作成された図面から取得された形状データを情報蓄積部１１に蓄積し、図面情報自動取得部１２により図面から取得された形状データまたは情報入力部１３により入力された文字情報の検索キーを用いて、情報蓄積部１１に蓄積された形状データを情報検索部１４により検索し、検索結果を表示する結果表示部１５により、検索結果の形状データと検索キーとの差分を表示して、この差分に基づき検索結果の流用を図るようにした。【選択図】図１
2005259011.tif 000002
【特許請求の範囲】
【請求項１】
ＣＡＤによって作成された図面から形状データを取得する図面情報自動取得部、この図面情報自動取得部により上記図面から取得された形状データを蓄積する情報蓄積部、文字情報を入力する情報入力部、検索キーを用いて上記情報蓄積部に蓄積された上記形状データの検索を行う情報検索部、及びこの情報検索部により検索された形状データを表示する結果表示部を備え、上記情報検索部の検索に用いられる検索キーは、上記図面情報自動取得部により上記図面から取得された形状データまたは上記情報入力部により入力された文字情報により形成されていることを特徴とするＣＡＤデータ管理検索装置。
【請求項２】
ＣＡＤによって作成される図面には、上記図面を構成する各平面に原点が設定され、上記図面情報自動取得部は、上記原点からの距離によって上記図面の各平面上の形状をデータとして抽出することを特徴とする請求項１記載のＣＡＤデータ管理検索装置。
【請求項３】
上記結果表示部には、上記情報検索部によって検索された形状データと上記検索に用いられた検索キーとの差分が表示されることを特徴とする請求項１または請求項２記載のＣＡＤデータ管理検索装置。
【請求項４】
上記情報検索部による検索の結果が多数のときは、上記検索結果から選択された二つについての差分が上記結果表示部に表示されることを特徴とする請求項１または請求項２記載のＣＡＤデータ管理検索装置。
【発明の詳細な説明】
【技術分野】
【０００１】
この発明は、ＣＡＤを利用した場合の既存データの利用効率の向上を図るため、既存データをデータベースに登録及び整理する方法を簡易化したＣＡＤデータ管理検索装置に関するものである。
【背景技術】
【０００２】
従来のＣＡＤデータ管理では、ファイル名やプロパティ機能に依存しており、管理・検索情報を設計者が図面作成とは別に記載する作業が発生していた。この記載内容は、文字情報によるため、形状の特徴などが理解しにくい状況であった。また、同一図面の存在が確認しにくく、類似図面に関しては、設計者の記憶に頼らざるを得ない状況にあった。
さらに、工作データを作成する場合は、データ作成者が、設計者の意図を理解できないために、類似図面の存在を知っていても、類似図面の情報をどこまで利用してよいか判断がつかず、結果的に新規データを作成するという状況が発生していた。
特許文献１には、製品の組立図を作成する場合に、与えられた使用条件を入力することにより最適な製品の型式を選定し、設計仕様を入力することにより製品の寸法値、材質などの設計諸元を算出し、これらのデータを用いることで予め図面データベースに登録されている既設計部品のＣＡＤ図面の中から所望の部品を選定し、出力装置に出力するようにし、効率的に組立図を作成することができるようにしたものが、記載されている。
【０００３】
【特許文献１】特開平５−２５７９９６号公報（第２〜３頁、図１）
【発明の開示】
【発明が解決しようとする課題】
【０００４】
従来のＣＡＤデータ管理装置は、上述のように、人手を介したデータ登録が必要な上に、文字情報のみの管理のため、第三者はもちろん、本人であっても時間の経過と共に管理・検索が困難な状態になるという問題があった。
また、特許文献１では、設計仕様を入力することにより製品の寸法値、材質などの設計諸元を算出し、これらのデータを用いることで予め図面データベースに登録されている既設計部品のＣＡＤ図面の中から所望の部品を選定するものの、設計諸元に該当するかどうかを判定するのみであり、類似図面の検索の容易化についてのものではなく、また、設計諸元と選定された図面との間で、どのような差があるのかということまでは判らなかった。
【０００５】
この発明は、上述のような課題を解決するためになされたものであり、既存データの管理及び検索を簡易化し、データ間の相違点を明確にして既存データの流用を促進することができるＣＡＤデータ管理検索装置を得ることを目的にしている。
【課題を解決するための手段】
【０００６】
この発明に係わるＣＡＤデータ管理検索装置においては、ＣＡＤによって作成された図面から形状データを取得する図面情報自動取得部、この図面情報自動取得部により図面から取得された形状データを蓄積する情報蓄積部、文字情報を入力する情報入力部、検索キーを用いて情報蓄積部に蓄積された形状データの検索を行う情報検索部、及びこの情報検索部により検索された形状データを表示する結果表示部を備え、情報検索部の検索に用いられる検索キーは、図面情報自動取得部により図面から取得された形状データまたは情報入力部により入力された文字情報により形成されているものである。
【発明の効果】
【０００７】
この発明は、以上説明したように、ＣＡＤによって作成された図面から形状データを取得する図面情報自動取得部、この図面情報自動取得部により図面から取得された形状データを蓄積する情報蓄積部、文字情報を入力する情報入力部、検索キーを用いて情報蓄積部に蓄積された形状データの検索を行う情報検索部、及びこの情報検索部により検索された形状データを表示する結果表示部を備え、情報検索部の検索に用いられる検索キーは、図面情報自動取得部により図面から取得された形状データまたは情報入力部により入力された文字情報により形成されているので、既存の図面データの管理及び検索が簡易化されることにより、既存の図面データの流用率の向上が図れ、よってＣＡＤによる図面データ作成時間の削減と人為的作業の削減による品質の向上を図ることができる。
【発明を実施するための最良の形態】
【０００８】
実施の形態１．
以下に、具体的な事例により実施の形態１を説明する。
図１は、この発明の実施の形態１によるＣＡＤデータ管理検索装置の基本構成を示すブロック図である。
図１において、図面情報自動取得部１２は、新規図面作成時またはラフデッサン検索時に利用され、ＣＡＤにより作成された図面から形状データを取得する。情報入力部１３は、形状データの検索に用いられる検索キーの文字情報入力に用いられる。情報検索部１４は、図面情報自動取得部１２または情報入力部１３から取得した情報を元にして検索を実施する。結果表示部１５は、情報検索部１４による検索結果を文字情報または図形情報として表示する。情報蓄積部１１は、図面情報自動取得部１２により取得された形状データを、形状及び文字・数字として蓄積する。
【０００９】
図２は、この発明の実施の形態１によるＣＡＤデータ管理検索装置の自動データ取得時の図面例を示す図である。
図２において、原点１６は、各面１７にそれぞれ設定され、図中に角穴１８、丸穴１９が示されている。
図３は、この発明の実施の形態１によるＣＡＤデータ管理検索装置の検索データベースのフォーマットを示す図であり、図３（ａ）は、形状について座標情報により表現した図、図３（ｂ）は、図３（ａ）から取得したデータのフォームである。
図４は、この発明の実施の形態１によるＣＡＤデータ管理検索装置の差分表示例を示す図である。
図４において、１６〜１９は図２におけるものと同一のものである。図４では、丸穴１９が二つ描かれている。
【００１０】
図５は、この発明の実施の形態１によるＣＡＤデータ管理検索装置の既存データ検索の作業を示すフローチャートである。
図６は、この発明の実施の形態１によるＣＡＤデータ管理検索装置の新規図面作成の作業を示すフローチャートである。
図７は、この発明の実施の形態１によるＣＡＤデータ管理検索装置の工作データの流用・新規作成の作業を示すフローチャートである。
【００１１】
次に、動作について説明する。
ＣＡＤによる新規図面作成の際に、図２に示すように図面を構成する各面に、原点を設定する（原則左下）ことで、作成する図形の情報を、図面情報自動取得部１２により、図３（ａ）のように座標データ等で表わされる形状情報が自動取得される。自動取得された形状データは、図面上の他の情報、品名・図面番号・使用機種名等とリンクを取るため、データＮｏが割り振られた図３（ｂ）のようなフォームを、情報蓄積部１１に保存する。これにより自動取得したデータを整理・保存したデータベース化が行われる。
【００１２】
自動取得するデータに関して具体的に説明をする。
まず、データＮｏを最初に割り振った後、各面に面番号を割り振り、その幅・高さを面データとして取得する。次に、その面に記載のある穴情報を取得する。穴については、角穴を１、丸穴を３などと穴形状に対して一意に決まる番号を設定する。その後、穴の大きさ（角穴であれば幅と高さ、丸穴なら径）を取得し、さらに、配置の中心点座標を面原点１６から求めることにより、図３（ａ）のような、形状情報を取得する。
【００１３】
次に、図５を用いて既存データの検索について説明する。
既存データの検索の際には、上記のデータベース化された図面内容を、図面情報自動取得部１２または情報入力部１３から検索キーとして入力し（ステップ４１）、合致する図形があるかどうかを検索する（ステップ４２）。合致するものがある場合は、その形状を表示し、所望する形状であることを確認する（ステップ４３）。
また、検索キーが曖昧などの理由のために、複数の形状が検索結果として該当した場合は、すべての形状を表示し、設計者が選択を実施する。その際、２つを指定すれば、それぞれの差分を図４のように画面上に形状として表示することができる（ステップ４４）。
また、ステップ４２で、検索キーを厳しく設定しすぎて、合致するものがない場合は、ステップ４３で、類似品として近似の形状を自動的に抽出し、検索結果として表示する。その際には検索キーに指定した形状との相違点を画面上に表示して（ステップ４４）、表示した既存データの利用の可否が容易に判断できる仕組とする。
なお、検索の際には文字情報だけでなく、簡易なラフデッサンを検索キーにも使えるようにする。これは上述の図面情報自動取得部１２によるデータ自動取得の仕組を、検索キー作成に利用することによって実現される。
次いで、表示された画面を見て、対象部品の図形データが選択され（ステップ４５）、使用可であれば、その選択された図形データを取得し（ステップ４６）、使用不可であれば、新規に図面を作成する（ステップ４７）。
【００１４】
次に、図６を用いて新規図面の作成について説明する。
新規図面を作成する際には、ラフデッサンの図形を作成し（ステップ５１）、それを用いて、図面情報自動取得部１２により検索情報を自動作成し（ステップ５２）、既存データが蓄積された情報蓄積部１１を検索し（ステップ５３）、類似データがないかどうかを確認する。その結果、類似データがない場合は、新規図面を作成し、新規データとして登録する（ステップ５６）。ステップ５３で、この新規データと既存データとを比較し、類似のデータがある際には、上記と同様に、図４に示すように、類似図面と新規図面との差分を画面上に表示する（ステップ５４）。その情報を確認した上で、新規に図面作成をするか、類似図面を採用し、新規図面の作成を中止するかの判断が行われる（ステップ５５）。新規図面を作成する場合には、作成した図面を情報蓄積部１１に登録し（ステップ５６）、既存図面を流用する場合には、類似品データを利用する（ステップ５７）。これにより不要に類似図面が増加することを防止する。
【００１５】
次に、図７を用いて工作データの作成について説明する。
工作データ（自動機のＮＣデータ等）を作成する場合にも、本装置を応用して、まず、検索キーとなる新規情報を図面情報自動取得部１２または情報入力部１３から取得して（ステップ６１）、類似品検索を実施し（ステップ６２）、類似品と必要形状の相違点を確認する。この際画面上に相違点を明示する（ステップ６３）ことで、設計意図を理解することが困難な工作データ作成者であっても、既存データの利用の判断（ステップ６４）を容易にすることができる。
既存データの流用が可能であれば、類似品データを利用し（ステップ６５）、新規に作成する必要が有りと判断されれば、新規データを作成する（ステップ６６）。
これにより、類似品の形状を改修することにより、新規の工作データを作成するか、もしくは完全に新規にデータを作成するかを工作データ作成者が判断できるため、現状に比して既存データの流用促進し、工作データの作成の効率化を実施することができる。
【００１６】
実施の形態１によれば、既存データの管理及び検索を簡易化することにより、既存データの流用率の向上が図れ、よってデータ作成時間の削減と人為的作業の削減による品質の向上を図ることができる。
また、既存データ及び検索キー間や、既存データ相互間の相違点を明確にすることにより、差分を容易に把握することができ、既存データの流用率を向上させることができる。
【図面の簡単な説明】
【００１７】
【図１】この発明の実施の形態１によるＣＡＤデータ管理検索装置の基本構成を示すブロック図である。
【図２】この発明の実施の形態１によるＣＡＤデータ管理検索装置の自動データ取得時の図面例を示す図である。
【図３】この発明の実施の形態１によるＣＡＤデータ管理検索装置の検索データベースのフォーマットを示す図である。
【図４】この発明の実施の形態１によるＣＡＤデータ管理検索装置の差分表示例を示す図である。
【図５】この発明の実施の形態１によるＣＡＤデータ管理検索装置の既存データ検索の作業を示すフローチャートである。
【図６】この発明の実施の形態１によるＣＡＤデータ管理検索装置の新規図面作成の作業を示すフローチャートである。
【図７】この発明の実施の形態１によるＣＡＤデータ管理検索装置の工作データの流用・新規作成の作業を示すフローチャートである。
【符号の説明】
【００１８】
１１  情報蓄積部
１２  図面情報自動取得部
１３  情報入力部
１４  情報検索部
１５  結果表示部
１６  原点
１７  面
１８  角穴
１９  丸穴
【図１】
2005259011.tif 000003
【図２】
2005259011.tif 000004
【図３】
2005259011.tif 000005
【図４】
2005259011.tif 000006
【図５】
2005259011.tif 000007
【図６】
2005259011.tif 000008
【図７】
2005259011.tif 000009